(57)【要約】【課題】本発明は、携帯電話機用スライドヒンジモジュールに関するものであって、より詳細には、携帯電話機本体に対して、ディスプレイ部の装着された携帯電話機カバーを横方向に往復移動させるための携帯電話機用スライドヒンジモジュールを提供する。【解決手段】本発明の一実施例は、本体に対して、ディスプレイ部の装着されたカバーを横方向に往復移動させる携帯電話機用スライドヒンジモジュールにおいて、本体に固定される固定プレートと、カバーに固定される移動プレートと、移動プレートの一側に横方向に設けられるガイドレールと、ガイドレールに対応して結合し、ガイドレールに沿って往復移動し、固定プレートの一側に固定されるスライド部材と、ガイドレールの一側に設けられ、移動プレートを固定プレートに対してスライド移動させる弾性組立体とを包含し、ガイドレールの一側に形成される陥没部に弾性組立体が設けられることを特徴とする。【選択図】図１
2010098733.tif 000002
【特許請求の範囲】
【請求項１】
本体に対して、ディスプレイ部の装着されたカバーを、横方向に往復移動させる携帯電話機用スライドヒンジモジュールにおいて、
前記本体に固定される固定プレートと、
前記カバーに固定される移動プレートと、
前記移動プレートの一側に横方向に設けられるガイドレールと、
前記ガイドレールに対応して結合し、前記ガイドレールに沿って往復移動し、前記固定プレートの一側に固定されるスライド部材と、
前記ガイドレールの一側に設けられ、前記移動プレートを固定プレートに対してスライド移動させる弾性組立体とを包含し、
前記ガイドレールの一側には陥没部が形成され、前記陥没部に前記弾性組立体が設けられることを特徴とする携帯電話機用スライドヒンジモジュール。
【請求項２】
前記固定プレートの上側と下側のそれぞれにスライド部材が一つずつ結合しており、前記移動プレートの上側と下側のそれぞれにガイドレールが一つずつ結合していることを特徴とする請求項１に記載の携帯電話機用スライドヒンジモジュール。
【請求項３】
前記弾性組立体は、前記一対のガイドレール間に設けられることを特徴とする請求項２に記載の携帯電話機用スライドヒンジモジュール。
【請求項４】
前記固定プレートの一側には、前記スライド部材が収容結合されるようにスライド部材収容溝が形成されていることを特徴とする請求項１乃至３のうち何れか一項に記載の携帯電話機用スライドヒンジモジュール。
【請求項５】
前記スライド部材の左右両端には、ストッパーが突設され、前記固定プレートの一側には、前記ストッパーが収容されるようにストッパー収容溝が形成されていることを特徴とする請求項１乃至３のうち何れか一項に記載の携帯電話機用スライドヒンジモジュール。
【請求項６】
前記ストッパーの一側には挿入溝が形成され、前記スライド部材の左右両端には前記挿入溝に対応して結合される挿入部が切開形成され、前記挿入部に前記ストッパーが挿入して結合されることを特徴とする請求項５に記載の携帯電話機用スライドヒンジモジュール。
【請求項７】
前記弾性組立体は、コイル部及び前記コイル部の両端から延長される一対の脚部からなるトーションバネと、前記コイル部の上下両側を遮蔽する蓋板と、前記脚部の末端にそれぞれ固定される一対のフックとを包含し、
前記一対のフックの何れか一方は前記固定プレートの一側に、他方は前記移動プレートの一側にそれぞれ結合されることを特徴とする請求項１乃至３のうち何れか一項に記載の携帯電話機用スライドヒンジモジュール。
【請求項８】
前記固定プレートと前記移動プレートには、前記一対のフックがそれぞれ対応結合することができるようにフック結合孔が形成されており、
前記フック結合孔は、前記フックが挿入結合するための固定孔と、前記固定孔の一側に設けられて前記フックを前記固定孔にガイドする挿入孔とからなることを特徴とする請求項７に記載の携帯電話機用スライドヒンジモジュール。
【請求項９】
前記スライド部材の両側は、‘コ’字状に内向きに折り曲げられて係止部を形成し、前記ガイドレールの両側は、‘Ｌ’字状に外向きに折り曲げられてレール部を形成し、前記レール部に前記係止部が対応結合することを特徴とする請求項１乃至３のうち何れか一項に記載の携帯電話機用スライドヒンジモジュール。
【発明の詳細な説明】
【技術分野】
【０００１】
本発明は、携帯電話機用スライドヒンジモジュールに関するものであって、より詳細には、携帯電話機本体に対して、ディスプレイ部の装着された携帯電話機カバーを横方向に往復移動させるための携帯電話機用スライドヒンジモジュールに関する。
【背景技術】
【０００２】
無線通信技術の発展に伴って携帯電話機も多様な機能を持つようになり、その種類においても、フリップ式(flip-type)、折り畳み式(folder-type)、スライド式(slide-type)の３種類に大別できる。
【０００３】
また、近年は、音声通信ばかりでなく、電子メール、インターネット接続、写真撮影、ゲームなど多様な機能を提供しており、こうした様々な複合機能を高効率に活用するために個人用コンピュータのキーボードと同じくクワーティ(QWERTY)配列のキーパッドを内蔵した携帯電話が発売されている。
【発明の概要】
【発明が解決しようとする課題】
【０００４】
クワーティ配列のキーパッドは、その形態において縦より横が遥かに長く形成されているので、従来上下にカバーがスライド移動しながら本体の数字キーパッドを開閉していた携帯電話機とは違って、左右方向にスライド移動しながら、クワーティ配列のキーパッドを開閉することになる。
【０００５】
この時、カバーをスライド移動させるべく、カバーの一側に外力を与えることになるが、カバーが左右にスライド移動する方向を長手方向から見ると、長さに比して相対的にカバーの幅が広くなるので、ヒンジ点を中心としてカバーが回転して歪みが生じると共に損傷が発生する危険性があった。
【０００６】
また、従来のようにバネヒンジとしてトーションバネを採用すると、容易に組立と分解が行えず、長時間の使用時、トーションバネのコイル部に異物が流入することによりスライド感が低下し、ひいては使用不能となる問題があった。更に、圧縮ばねを装着したバネケーシングを使用する場合には、１ピースのケースあるいは２ピースの上下ケースを適用し、圧縮ばねの離脱を防止するので、ばねケーシングの厚さ増加に起因して端末機のスリム化に制約を与えることになり、部品数が増加することにより組立工程数が増えるという問題があった。
【課題を解決するための手段】
【０００７】
本発明は、前述したような問題点等を解決するために案出されたものであって、本発明の一実施例は、本体に対して、ディスプレイ部の装着されたカバーを横方向に往復移動させる携帯電話機用スライドヒンジモジュールにおいて、本体に固定される固定プレートと、カバーに固定される移動プレートと、移動プレートの一側に横方向に設けられるガイドレールと、ガイドレールに対応して結合し、ガイドレールに沿って往復移動し、固定プレートの一側に固定されるスライド部材と、ガイドレールの一側に設けられ、移動プレートを固定プレートに対してスライド移動させる弾性組立体とを包含し、ガイドレールの一側に形成される陥没部に弾性組立体が設けられることを特徴とする携帯電話機用スライドヒンジモジュールに係る。
【０００８】
本発明の一実施例によれば、本体に対して、ディスプレイ部の装着されたカバーを、横方向に往復移動させる携帯電話機用スライドヒンジモジュールにおいて、本体に固定される固定プレートと、カバーに固定される移動プレートと、移動プレートの一側に横方向に設けられるガイドレールと、ガイドレールに対応して結合し、ガイドレールに沿って往復移動し、固定プレートの一側に固定されるスライド部材と、ガイドレールの一側に設けられ、移動プレートを固定プレートに対してスライド移動させる弾性組立体とを包含し、ガイドレールの一側に形成される陥没部に弾性組立体が設けられることを特徴とする携帯電話機用スライドヒンジモジュールが提供される。
【０００９】
そこで、固定プレートの上側と下側のそれぞれにスライド部材が一つずつ結合しており、移動プレートの上側と下側のそれぞれにガイドレールが一つずつ結合していることが望ましい。
【００１０】
この際、弾性組立体は、一対のガイドレール間に設けられることが望ましい。
【００１１】
この際、前記固定プレートの一側には、スライド部材が収容結合されるようにスライド部材収容溝が形成されることが望ましい。
【００１２】
また、スライド部材の左右両端には、ストッパーが突設され、前記固定プレートの一側には、前記ストッパーが収容されるようにストッパー収容溝が形成されることが望ましい。
【００１３】
この時、ストッパーは一側に挿入溝が形成され、スライド部材の左右両端には挿入溝に対応して結合する挿入部が切開形成され、前記挿入部にストッパーが挿入結合されることが望ましい。
【００１４】
そして、弾性組立体は、コイル部及コイル部の両端から延長される一対の脚部からなるトーションバネと、コイル部の上下両端を遮蔽する蓋板と、脚部の末端にそれぞれ固定される一対のフックとを包含し、前記一対のフックの何れか一方は前記固定プレートの一側に、他方は前記移動プレートの一側にそれぞれ結合されることが望ましい。
【００１５】
この時、固定プレートと移動プレートには、一対のフックがそれぞれ対応結合することができるようにフック結合孔が形成されるが、フック結合孔は、フックが挿入結合するための固定孔と、固定孔の一側に設けられ、フックを固定孔にガイドする挿入孔とからなることが望ましい。
【００１６】
また、スライド部材の両側は、‘コ’字状に内向きに折り曲げられて係止部を形成しており、ガイドレールの両側は、‘Ｌ’字状に外向きに折り曲げられてレール部を形成し、レール部に係止部が対応結合することが望ましい。
【発明の効果】
【００１７】
本発明の一実施例による携帯電話機用スライドヒンジモジュールによれば、携帯電話機本体に対してカバーを横方向に往復移動させるとき、カバーの歪みを防止することによって、損傷を防止し、耐久性を向上させる効果を有する。
【００１８】
また、構造が単純なので製作が容易であり、不良発生が減少することにより、製作コストを大幅に低減することができる。
【００１９】
また、一つの部品にモジュール化することによって、組立と分解が容易となり、組立時間と費用を低減でき、生産性を向上させることができる。
【００２０】
また、トーションバネのコイル部を蓋板で遮蔽することによって、異物の侵入を極力遮断し、長時間の使用にも良好なスライド感を維持することができ、且つ、携帯電話機の作動信頼性を向上させることができる。
【００２１】
更に、ガイドレールとスライド部材及び弾性組立体が固定プレート又は移動プレートに設けられた空間に収容されることにより、固定プレート又は移動プレートが前記各部品等の厚みを吸収し、携帯電話製品のスリム化に貢献することになる。
【図面の簡単な説明】
【００２２】
【図１】本発明の一実施例により携帯電話機用スライドヒンジモジュールが適用された携帯電話機の分解斜視図である。
【図２】本発明の一実施例によるガイドレールとスライド部材の分解斜視図である。
【図３】本発明の一実施例により携帯電話機用スライドヒンジモジュールが組み立てられた状態を示した概略図である。
【図４】図３のＡ−Ａ方向における断面図である。
【図５】本発明の一実施例による弾性組立体の分解斜視図である。
【図６】本発明の一実施例による携帯電話機用スライドヒンジモジュールの作動状態図である。
【発明を実施するための形態】
【００２３】
以下、本発明の一実施例による携帯電話機用スライドヒンジモジュールの望ましい実施例について、添付図面を参照しながら説明する。その説明において、図面に示された線等の厚さや構成要素の大きさなどは、説明の明瞭性と便宜を図るために誇張して示すこともあり得る。
【００２４】
また、後述する用語等は、本発明での機能を考慮したうえで定義された用語であって、これは使用者、運用者の意図または慣例により変わることができる。従って、このような用語等に対する定義は、本明細書全般にわたった内容に基づいてされるべきである。
【００２５】
更に、以下の実施例は、本発明の権利範囲を限定するものでなく、本発明の請求範囲に提示された構成要素の例示的な事項に過ぎず、本発明の明細書全般に亘った技術思想に含まれ、請求範囲の構成要素において均等物として置換可能な構成要素を包含する実施例は本発明の権利範囲に含まれる。
【実施例】
【００２６】
図１は、本発明の一実施例により携帯電話機用スライドヒンジモジュールが適用される携帯電話機の分解斜視図であり、図２は、本発明の一実施例によるガイドレールとスライド部材の分解斜視図であり、図３は、本発明の一実施例により携帯電話機用スライドヒンジモジュールが組み立てられた状態を示した概略図であり、図４は、図３のＡ-Ａ方向における断面図であり、図５は、本発明の一実施例による弾性組立体の分解斜視図であり、図６は、本発明の一実施例による携帯電話機用スライドヒンジモジュールの作動状態図である。
【００２７】
図１乃至図４に示したように、本発明の一実施例による携帯電話機用スライドヒンジモジュール１００は、携帯電話機本体１０に対して、キーパッド２１とディスプレイ部２２とが装着されたカバー２０を横方向に往復移動させることによって、携帯電話機本体１０に装着されたクワーティ配列キーパッド１１を開閉できるようにするためのものである。
【００２８】
本発明の一実施例による携帯電話機用スライドヒンジモジュール１００は、固定プレート２００と移動プレート３００及び弾性組立体６００を包含している。図３と図４に示したように、固定プレート２００は、クアーティ配列キーパッド１１が装着された本体１０の前面一側に固定され、移動プレート３００は、キーパッド２１とディスプレイ部２２が装着されたカバー２０の後面一側に固定される。
【００２９】
弾性組立体６００は、固定プレート２００と移動プレート３００との間に設けられ、固定プレート２００に対して移動プレート３００が半自動にスライド移動可能となるように弾性力を提供する。移動プレート３００の後面中央部、即ち、後述する一対のガイドレール４００間に陥没部３１０が形成される。弾性組立体６００は、この陥没部３１０に収容される。
【００３０】
従って、弾性組立体６００の厚さが移動プレート３００の陥没部３１０により吸収されることによって、携帯電話機のスリム化に貢献することになる。
【００３１】
移動プレート３００の後面には、上側と下側のそれぞれに一つずつのガイドレール収容溝３２０が横方向に長く形成されている。このガイドレール収容溝３２０には、ガイドレール４００がそれぞれ収容結合される。
【００３２】
この際、ガイドレール４００は、別の部材が移動プレート３００のガイドレール収容溝３２０に収容結合されることも可能であり、ガイドレール収容溝３２０内で移動プレート３００と共に一体に形成されることも可能である。
【００３３】
また、固定プレート２００の前面一側には、上側と下側のそれぞれにスライド部材収容溝２１０が一つずつ形成される。このスライド部材収容溝２１０には、スライド部材５００がそれぞれ収容結合される。
【００３４】
従って、ガイドレール４００とスライド部材５００の厚さがそれぞれ移動プレート３００のガイドレール収容溝３２０と固定プレート２００のスライド部材収容溝２１０により吸収されることによって、携帯電話機のスリム化に貢献することになる。
【００３５】
このように、携帯電話機の長手方向の両側にガイドレール４００とスライド部材５００が一組ずつ設けられ、安定的に支持することによって、カバー２０を本体１０に対して横方向(幅方向)にスライド移動させても、カバー２０が歪んだりして損傷が発生する不都合を防ぐことができる。
【００３６】
図２に示したように、ガイドレール４００の両側には‘Ｌ’字状に外向きに折り曲げられたレール部４１０が形成され、スライド部材５００の両側には‘コ’字状に内向きに折り曲げられた係止部５１０が形成される。そして、スライド部材５００の係止部５１０がガイドレール４００のレール部４１０に対応結合することによって、スライド部材５００がガイドレール４００に沿ってスライド移動することができるようになっている。
【００３７】
この際、係止部５１０の内側には、合成樹脂材の潤滑材５２０が挿入されることが望ましい。この潤滑材５２０は、ガイドレール４００とスライド部材５００との接触による騒音と磨耗発生を防止する役割を奏する。
【００３８】
スライド部材５００の左右両端にはストッパー５３０が突設されている。このストッパー５３０は、ガイドレール４００に沿って移動するスライド部材５００の作動距離を制限する役割を果たすものである。ガイドレール４００の終端までスライド部材５００が移動すると、ストッパー５３０がガイドレール収容溝３２０の側壁に当接することによって、スライド部材５００がそれ以上移動できなくなる。
【００３９】
その際、スライド部材５００の左右両端に所定幅の挿入部５４０を切開形成し、この挿入部５４０にストッパー５３０を挿入結合させることが望ましい。このために、ストッパー５３０の一側には、挿入部５４０に対応結合することができるように挿入溝５３１が形成される。
【００４０】
また、ストッパー５３０がガイドレール収容溝３２０の側壁に接触するときに騒音が発生しないように、ストッパー５３０は合成樹脂材からなることが望ましい。更に、ストッパー５３０の厚さに起因して携帯電話機の厚さが増加しないように、固定プレート２００の一側、即ちスライド部材収容溝２１０には、ストッパー５３０を受容し、その厚さを吸収することができるようにストッパー収容溝２１１を形成するのが望ましい。
【００４１】
一方、移動プレート３００の中央部、即ち、一対のガイドレール４００間には、陥没部３１０が形成される。図３と図４に示したように、後述する弾性組立体６００がこの陥没部３１０に収容され回動する。それによって、弾性組立体６００の設置のための別途の空間を必要とせず、陥没部３１０に収容される弾性組立体６００の厚さ分だけ携帯電話機の厚さを更にスリムにすることができる。
【００４２】
更に、使用上の便宜を図るべく、使用者が外力を加えて移動プレート３００がある程度移動するようになると、それ以上力を与えなくても左・右の何れか一方に半自動で移動させられるようにする必要があり、弾性組立体６００がこのような役割を果たす。
【００４３】
図５には、こうした弾性組立体の一例が示されている。
【００４４】
図５に示した実施例によれば、弾性組立体６００は、トーションバネ６１０と、蓋板６２０と、一対のフック６３０とを包含している。
【００４５】
トーションバネ６１０は、円形に巻き付けられたコイル部６１１と、コイル部６１１の両端から延長形成される一対の脚部６１２とからなる。コイル部６１１は蓋板６２０により上下両側が遮蔽されているので、異物の侵入を防止できる。蓋板６２０の両側には、一対の脚部６１２が蓋板６２０の外部に突出されるように、溝６２１が設けられている。
【００４６】
一対の脚部６１２の末端には、フック６３０がそれぞれ結合している。このフック６３０には、全体的に円柱形状として上下両端部には幅が拡張された離脱防止部６３１が形成される。トーションバネ６１０の脚部６１２がフック６３０に輪状に形成され掛けられた場合、フック６３０の上下方向に脚部６１２が離脱することを防止できる。
【００４７】
また、フック６３０の離脱防止部６３１は、フック６３０を固定プレート２００又は移動プレート３００に組み合わせる役割も奏する。
【００４８】
一対のフック６３０の何れか一方は固定プレート２００の一側に、他方は移動プレート３００の一側にそれぞれ結合され、固定プレート２００と移動プレート３００との間に弾性組立体６００が弾性力を提供することになる。固定プレート２００と移動プレート３００には、それぞれフック６３０が結合し得るようなフック結合孔２３０,３３０が設けられる。このフック結合孔２３０,３３０には、フック６３０の離脱防止部６３１が挿入結合することになる。
【００４９】
フック結合孔２３０,３３０は、固定孔２３１,３３１と挿入溝２３２,３３２とからなる。挿入孔２３２,３３２は、弾性組立体６００の設置時、フック６３０の離脱防止部６３１が挿入するための孔(ｈｏｌｅ)である。固定孔２３１,３３１は、挿入孔２３２,３３２より小径の孔として挿入孔２３２,３３２につながっている。挿入孔２３２、３３２を通じて挿入されたフック６３０が固定孔２３１,３３１に移動した後に、フック６３０の離脱防止部６３１が固定孔２３１,３３１の外周面に引っかかるように構成することによって、弾性組立体６００の設置が完了する。
【００５０】
この時、固定孔２３１,３３１は、挿入孔２３２,３３２の外側に向かうに従いその幅が狭くなるようにテーパー状に形成し、フック６３０が固定孔２３１,３３１に挿入されてから、離脱が抑制されるようにすることが望ましい。
【００５１】
本発明の一実施例による携帯電話機用スライドヒンジモジュール１００の作動については図６に示している。
【００５２】
図６は、本発明の一実施例によるスライドヒンジモジュールの使用状態図であって、携帯電話機の背面から見たときの態様を示している。
更に詳しく説明すると、図６の(ａ)は、カバーにより本体が完全に覆われている状態を示し、(ｂ)は、カバーが本体の一側に移動することにより本体のキーパッドの一部が外部に露出された状態を示し、(ｃ)は、カバーが本体の一側に完全に移動した状態を示している。
【００５３】
携帯電話機用スライドヒンジモジュール１００の使用前状態、即ち、カバー２０により本体１０が完全に覆われている状態において、トーションバネ６１０は、両端がそれぞれ固定プレート２００と移動プレート３００に固定されており、図６の(ａ)に示したように両脚部６１２同士が最大限に離れた状態で斜めに陥没部３１０に収容されている。
【００５４】
使用者が、カバー２０を本体１０の右側(図６では、左側)方向に押すと、移動プレート３００が固定プレート２００に対して右側(図６では、左側)にスライド移動することになり、トーションバネ６１０の両脚部６１２の間隔が狭くなりながら回転する。
【００５５】
次いで、カバー２０を押し続け、トーションバネ６１０の両側フック６３０が図６ｂに示したように垂直線上に位置することになる瞬間、トーションバネ６１０にかかる圧縮力は最高値に達する。そこでカバー２０を更に押すと、トーションバネ６１０の弾性回復力により両脚部６１２同士が急激に離れながらトーションバネ６１０が回転し、カバー２０が右側(図６では左側)に迅速に押し出されることになる。
【００５６】
カバー２０を本体１０の方向に閉めるときには、上述した過程とは逆手順に行われる。図６において、黒矢印は、スライド部材５００の移動方向を示し、白矢印は、カバー２０と移動プレート３００の移動方向を示す。
【符号の説明】
【００５７】
１０    本体 
２０    カバー 
１００    携帯電話機用スライドヒンジモジュール 
２００    固定プレート 
３００    移動プレート 
４００    ガイドレール
５００    スライド部材 
６００    弾性組立体
６１０    トーションバネ
６１１    コイル部
６１２    脚部
６２０    蓋板
６３０    フック
【図１】
2010098733.tif 000003
【図２】
2010098733.tif 000004
【図３】
2010098733.tif 000005
【図４】
2010098733.tif 000006
【図５】
2010098733.tif 000007
【図６】
2010098733.tif 000008